(57)【要約】【課題】電子機器冷却用送風ファンおよび放熱器を迅速に組み立てるファン枠体。【解決手段】ファン枠体２は、放熱器３に装着され、ダクト２１、頂面２２およびカバー部２３から構成される。頂面２２は、ダクト２１外周から延長して形成され、カバー部２３がダクトを囲むように延長して設けられて、ファンからの送風をダクトから放熱器のフィンに導く。  頂面２２には、凸体２２１を設けて、該凸体２２１を放熱器３の放熱フィン３２１間に形成される放熱空気流路３２２に挿着して固定されることにより、ファン枠体２は、放熱器３に迅速に装着され、組み立て時間およびコストが削減される。【選択図】図４
0003148901.tif 000002
【実用新案登録請求の範囲】
【請求項１】
放熱器に装着される電子機器の冷却用送風ファン枠体であって、
ダクトと、
前記ダクト外周から延長して形成される頂面と、
前記頂面から放熱器を囲むように延長して形成されるカバー部とからなり、
前記頂面は少なくとも１つの凸体を有して、前記頂面および前記カバー部を前記放熱器に被せて該凸体が前記放熱器の放熱フィン間に挿着されることによりファン枠体を放熱器に固定することを特徴とするファン枠体。
【請求項２】
前記ダクト内に収納されているファンホイールと、
前記ファンホイールが一方の端部に設けられている軸心と、
前記軸心の他端部が挿着されている支持部と、を備えることを特徴とする請求項１に記載のファン枠体。
【請求項３】
前記支持部は、複数の接続アームにより前記頂面に固定支持されると共に、前記軸心を回転可能に軸支する軸受座を具えることを特徴とする請求項２に記載のファン枠体。
【請求項４】
前記頂面は、放熱器に接するカバー部側に少なくとも１つの固定凸柱をさらに有し、前記放熱器の少なくとも１つの端面が前記固定凸柱に嵌合していることを特徴とする請求項１に記載のファン枠体。
【請求項５】
前記軸心は、前記軸受座に回転可能に軸支されていることを特徴とする請求項３に記載のファン枠体。
【請求項６】
前記ダクトは、前記支持部および前記カバー部を連通する空気流路を形成することを特徴とする請求項２に記載のファン枠体。
【請求項７】
前記ファンホイールは、複数の羽根を有することを特徴とする請求項２に記載のファン枠体。
【請求項８】
前記頂面は、前記ダクト外周から水平に延長形成され、前記カバー部は前記頂面から前記放熱器を囲むように垂直に延長形成していることを特徴とする請求項１に記載のファン枠体。
【請求項９】
前記凸体は、形状が塊状、球状、四角形状または爪状のいずれかから選択される延伸端部をさらに有することを特徴とする請求項１に記載のファン枠体。
【請求項１０】
放熱器と、ファン枠体とを備えるファン枠体を有する放熱モジュールであって、
前記放熱器は、少なくとも１つの吸熱部および少なくとも１つの放熱部を有し、前記放熱部は複数の放熱フィンを有し、前記放熱フィン間に少なくとも１つの放熱空気流路を形成し、
前記ファン枠体は、ダクト、頂面およびカバー部を有し、前記頂面および前記カバー部は前記放熱器の一方の端部に被せるように設けられ、前記頂面は少なくとも１つの凸体を有し、前記凸体は放熱器の放熱空気流路内に挿着されていることを特徴とするファン枠体を有する放熱モジュール。
【請求項１１】
前記ダクト内に収納されているファンホイールと、
前記ファンホイールが一方の端部に設けられている軸心と、
前記軸心の他端部が回転可能に軸支されている支持部と、を備えることを特徴とする請求項１０に記載のファン枠体を有する放熱モジュール。
【請求項１２】
前記支持部は、複数の接続アームおよびファンホイールの軸受座を有し、前記複数の接続アームは一方の端部が前記軸受座に接続され、もう一方の端部が前記頂面に接続されていることを特徴とする請求項１１に記載のファン枠体を有する放熱モジュール。
【請求項１３】
前記頂面は、前記放熱器に相対する側に少なくとも１つの固定凸柱をさらに有し、該放熱器の少なくとも１つの端面が前記固定凸柱に嵌合していることを特徴とする請求項１０に記載のファン枠体を有する放熱モジュール。
【請求項１４】
前記軸心は、前記軸受座に回転可能に軸支されていることを特徴とする請求項１２に記載のファン枠体を有する放熱モジュール。
【請求項１５】
前記ダクトは、前記支持部および前記カバー部を連通する空気流路を形成することを特徴とする請求項１０に記載のファン枠体を有する放熱モジュール。
【請求項１６】
前記頂面は、前記ダクト外周から水平に延長して形成され、前記カバー部は前記頂面から前記放熱器を囲むように垂直に延長して形成されることを特徴とする請求項１０に記載のファン枠体を有する放熱モジュール。
【請求項１７】
前記放熱部は、前記吸熱部の外周から放射状に延長して形成されていることを特徴とする請求項１０に記載のファン枠体を有する放熱モジュール。
【請求項１８】
前記凸体は、形状が塊状、球状、四角形状または爪状のいずれかから選択される延伸端部をさらに有することを特徴とする請求項１０に記載のファン枠体を有する放熱モジュール。
【考案の詳細な説明】
【技術分野】
【０００１】
本考案は、電子機器の冷却用送風ファン枠体およびその放熱モジュールに関し、特に、迅速かつ堅固に放熱器に組み合わせるファン枠体およびその放熱モジュールに関する。
【背景技術】
【０００２】
電子装置は、運転時において、内部の電子デバイスが熱源を発生するため、放熱ユニットにより放熱効率を向上させて電子デバイスが高温により焼損してしまうのを回避していた。前記の放熱ユニットは、放熱フィンセットまたは放熱器が主であるが、放熱ユニットのみによる電子デバイスの放熱には、効果に限りがあるため、少なくとも１つのファンを取り付けて放熱ユニットに対して強制空冷による放熱を行って全体的な放熱効果を向上させている。しかし、ファンと放熱ユニットとの結合は、従来は固定具によりファンを放熱ユニットの放熱フィン上に直接螺着させていた。この固定方法によると、放熱フィンが固定具の強力な締め付けにより変形したり、破損したりして放熱用の空気流路を狭くして冷却気体が停滞するため、放熱効果に悪影響を与えた。そのため、固定フレームによりファンを放熱ユニットに結合させる方法が採られたが、この方法も余分なネジまたは固定具により固定する従来の方法に変わりはなかった。
【０００３】
以下、従来技術を図面に基づいて説明する。図１を参照する。図１は、従来の放熱モジュールを示す斜視図である。図１に示すように、放熱モジュール１は、放熱ファン１１、固定フレーム１２および放熱器１３からなる。放熱ファン１１は、四方の角に穿孔１１１をそれぞれ設け、複数のネジ１４を穿孔１１１に貫通して放熱ファン１１を固定フレーム１２上に螺着する。固定フレーム１２は、両側の下部に係止アーム１２１をそれぞれ設けている。固定フレーム１２は、係止アーム１２１により放熱器１３の両側の溝１３１に嵌合されて固定が行われる。放熱モジュール１は、固定フレーム１２により放熱モジュール１と放熱器１３とを結合させたが、組み立て時間の増加および生産コストの上昇を招き、ファン運転時における振動が放熱モジュール１全体の振動または騒音を引き起こした。以上の説明から分かるように、従来技術には、以下の４つの欠点があった。１、構造が複雑であった。２、組み立て時間が長かった。３、コストが高かった。４、振動が起きやすかった。
【０００４】
上記の欠点をいかに解決するかが本考案の課題である。
【特許文献１】特公昭７−７８２２号公報
【特許文献２】特開平５−２４３７７２号公報
【考案の開示】
【考案が解決しようとする課題】
【０００５】
本考案の第１の目的は、ファンおよび放熱器を迅速に組み立てるファン枠体を提供することにある。
本考案の第２の目的は、ファンおよび放熱器を迅速に組み立てるファン枠体を有する放熱モジュールを提供することにある。
本考案の第３の目的は、生産コストを削減するファン枠体を提供することにある。
【０００６】
上述の目的を達成するため、本考案は、ファン枠体を提供する。本考案のファン枠体は、放熱器に装着され、ダクト、頂面およびカバー部を含む。頂面は、ダクトの一方の端部から延伸している。カバー部は、頂面のもう一方の端部に接合している。頂面およびカバー部は、放熱器に被せるように設けられている。頂面は、少なくとも１つの凸体を有する。凸体は、放熱器の放熱フィン間にある放熱空気流路に挿着されている。これにより、ファン枠体は、放熱器に迅速に装着され、組み立て時間およびコストが削減される。
【考案の効果】
【０００７】
本考案のファン枠体は、凸体が放熱器の放熱フィン間にある放熱空気流路に挿着されるという簡単な構造により、放熱器に迅速に装着され、組み立て時間およびコストを削減することができる。
【考案を実施するための最良の形態】
【０００８】
以下、本考案の実施形態を図面に基づいて説明する。図２〜１１を参照する。図２は、本考案の実施形態によるファン枠体を有する放熱モジュールを示す分解斜視図である。図３は、本考案の実施形態によるファン枠体を有する放熱モジュールを示す斜視図である。図４は、本考案の実施形態によるファン枠体を有する放熱モジュールを示す分解斜視図である。図５は、図４の接合局部を示す拡大図である。図６は、本考案の実施形態によるファン枠体を有する放熱モジュールを示す断面図である。図７は、図６の接合局部を示す拡大図である。図８は、本考案の他の実施形態によるファン枠体を有する放熱モジュールを示す断面図である。図９は、図８の接合局部を示す拡大図である。図１０は、本考案の実施形態によるファン枠体を有する放熱モジュールを示す分解断面図である。図１１は、本考案の実施形態によるファン枠体を示す分解斜視図である。図２〜１１に示すように、本考案のファン枠体２は、放熱器３に装着される。ファン枠体２は、ダクト２１、頂面２２およびカバー部２３から構成する。頂面２２は、ダクト２１の一方の端部から延伸している。カバー部２３は、頂面２２のもう一方の端部に接合している。頂面２２およびカバー部２３は、放熱器３に被せるように設けられている。頂面２２は、少なくとも１つの凸体２２１を有する。凸体２２１は、放熱器３の放熱フィン３２１間にある放熱空気流路３２２に挿着されている（図５参照）。
【０００９】
凸体２２１は、延伸端部２２１１をさらに有する。延伸端部２２１１は、放熱フィン３２１間に位置する放熱空気流路３２２の内部に係止されている。延伸端部２２１１の形状は、塊状（図示せず）、球状（図９参照）、四角形状（図７参照）または爪状（図示せず）のいずれかを選択することができる。
【００１０】
図１０および図１１を参照する。図１０は、本考案の実施形態による放熱モジュールを示す断面図である。図１１は、本考案の実施形態によるファン枠を示す斜視図である。図１０および図１１に示すように、ファン枠体２は、ファンホイール２４、軸心２５および支持部２６をさらに備える。ファンホイール２４は、複数の羽根２４１を有し、軸心２５の一方の端部に設けられ、同時にダクト２１内に収納されている。軸心２５の他端部は、支持部２６の軸受座２６２を貫通して回転可能に軸支される。支持部２６は、接続アーム２６１により上記頂面２２に接続されて支持部をダクト内に支持する。
【００１１】
頂面２２は、ダクト２１からダクト２１周囲を囲んで形成され、カバー部２３は、頂面２２からダクト２１の反対方向に向かって垂直に延伸している。頂面２２は、少なくとも１つの固定凸柱２２２をさらに有する。放熱器３は、少なくとも１つの端面が固定凸柱２２２に嵌合している。ダクト２１は、支持部２６およびカバー部２３を連通する空気流路２１１を有する。
【００１２】
図４〜１１を参照する。図４〜１１に示すように、本考案の実施形態によるファン枠体を有する放熱モジュールは、放熱器３およびファン枠体２を具える。放熱器３は、少なくとも１つの吸熱部３１（図２参照）および少なくとも１つの放熱部３２を有する。放熱部３２は、複数の放熱フィン３２１を有する。放熱フィン３２１は、吸熱部３１の外周から放射状に延長して形成される。放熱フィン３２１間には、放熱空気流路３２２が形成されている。ファン枠体２は、ダクト２１、頂面２２およびカバー部２３をからなる。頂面２２およびカバー部２３は、放熱器３の一方の端部に被せるように設けられている。頂面２２は、少なくとも１つの凸体２２１を有する。凸体２２１は、放熱器３の放熱フィン３２１間の放熱空気流路３２２に挿着されている。
【００１３】
凸体２２１は、延伸端部２２１１をさらに有する。延伸端部２２１１は、放熱フィン３２１間の放熱空気流路３２２の内部に係止されている。延伸端部２２１１の形状は、塊状（図示せず）、球状（図８参照）、四角形状（図６参照）または爪状（図示せず）のいずれかを選択することができる。
【００１４】
ファン枠体２の頂面２２は、ダクト２１外周から水平に延長して形成され、カバー部２３は、頂面２２からダクト２１の反対方向に向かって垂直に延伸している。頂面２２は、その下面に少なくとも１つの固定凸柱２２２をさらに有する。放熱器３は、少なくとも１つの端面が固定凸柱２２２に嵌合している。
【００１５】
ファン枠体２は、ファンホイール２４、軸心２５および支持部２６をさらに備える。ファンホイール２４は、複数の羽根２４１を有し、軸心２５の一方の端部に設けられ、同時にダクト２１内に収納されている。軸心２５の他端部は、支持部２６を貫通している。支持部２６は、接続アーム２６１および軸受座２６２を有する。接続アーム２６１は、一方の端部が軸受座２６２に接続され、もう一方の端部が頂面２２に接続されている。また、軸心２５の一方の端部は、軸受座２６２に挿着されている。ダクト２１は、支持部２６およびカバー部２３を連通する空気流路２１１を有する。
【００１６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１７】
【図１】従来の放熱モジュールを示す斜視図である。
【図２】本考案の実施形態によるファン枠体を有する放熱モジュールを示す分解斜視図である。
【図３】本考案の実施形態によるファン枠体を有する放熱モジュールを示す斜視図である。
【図４】本考案の実施形態によるファン枠体を有する放熱モジュールを示す分解斜視図である。
【図５】図４の接合局部を示す拡大図である。
【図６】本考案の実施形態によるファン枠体を有する放熱モジュールを示す断面図である。
【図７】図６の接合局部を示す拡大図である。
【図８】本考案のもう１つの実施形態によるファン枠体を有する放熱モジュールを示す断面図である
【図９】図８の接合局部を示す拡大図である。
【図１０】本考案の実施形態によるファン枠体を有する放熱モジュールを示す分解断面図である。
【図１１】本考案の実施形態によるファン枠体を示す分解斜視図である。
【符号の説明】
【００１８】
２  ファン枠体
３  放熱器
２１  ダクト
２２  頂面
２３  カバー部
２４  ファンホイール
２５  軸心
２６  支持部
３１  吸熱部
３２  放熱部
２１１  空気流路
２２１  凸体
２２２  固定凸柱
２４１  羽根
２６１  接続アーム
２６２  軸受座
３２１  放熱フィン
３２２  放熱空気流路
２２１１  延伸端部
【図１】
0003148901.tif 000003
【図２】
0003148901.tif 000004
【図３】
0003148901.tif 000005
【図４】
0003148901.tif 000006
【図５】
0003148901.tif 000007
【図６】
0003148901.tif 000008
【図７】
0003148901.tif 000009
【図８】
0003148901.tif 000010
【図９】
0003148901.tif 000011
【図１０】
0003148901.tif 000012
【図１１】
0003148901.tif 000013